(57)【特許請求の範囲】
【請求項１】
再生前における指輪本体の主要構成体を特定する特定工程と、この指輪本体から主要構成体を分離させて主要構成体を取り出す取出し工程と、この主要構成体に拡縮径可能な環状構成体を組付けて環状の指輪本体を構成する組立て工程を有し、前記再生前の主要構成体を維持した状態で再生後の指輪本体を指に装着できるように使用可能に再生したことを特徴とする指輪を再生する指輪再生方法。
【請求項２】
前記主要構成体を特定した後、当該特定部位を切断し、この切断部位に接続部材を介して環状構成体を固着した請求項１に記載の指輪再生方法。
【請求項３】
前記環状構成体は、予め準備した各種の伸縮部材、湾曲部材、拡縮部材、ジョイント部材を適宜に選択して構成するようにした請求項１又は２に記載の指輪再生方法。
【請求項４】
前記伸縮部材は、調節部を有する調節片を内蔵し、この調節片を係止部材で係止してリング径を自在に調節可能とした請求項３に記載の指輪再生方法。
【請求項５】
前記拡縮部材は、折りたたみ式又は弾性体により拡縮可能としたことを特徴とする請求項３に記載の指輪再生方法。
【発明の詳細な説明】
【技術分野】
【０００１】
本発明は、指に適合しなくなった再生前の指輪の主要構成体を残したまま変形させることなく、指輪を再生する指輪再生方法に関する。
【背景技術】
【０００２】
宝飾品は安価なものから高価なものまで多種多様のものが存在する。そのなかで指輪も同様に、ファッションリングと言われる安価なものから非常に高額なもの、また代々受継いでいくような個人的価値の高いものまである。
【０００３】
従来、指輪が指に適合しなくなった場合には使用をしなくなるか、サイズを直して使用する。サイズを直す場合には、指輪のリング部分の内径を削り径を大きくして使用するか、又は特許文献１にあるように、あらかじめ指輪のリング部分に長さを自在に調整できる、一端に凸部、他端に凹部を有するリングユニットをチェーン状に連結し、指のサイズを大きくする場合には指輪と同じ地金片をリングユニットの間に挿入し、小さくする場合にはリングユニットの一部を取外すことにより、リング径を調節して指輪を使用できるようにしている。
【０００４】
【特許文献１】実用新案登録第３１０６１３３号
【発明の開示】
【発明が解決しようとする課題】
【０００５】
しかしながら、価値の高い指輪の場合にはその主要装飾部分の形状を変更又は変形することはその価値を減少しかねずできない。また、指輪のリング部分の内径を削る場合には限りがあり、ある程度の範囲内でしかサイズ直しができず、それ以上リング部分の内径を大きくする場合には新たに指輪を作り直すことになってしまい、主要装飾部を既存の形で残存して再生することは難しかった。そこで、主要装飾部をそのままにリング部の径を変える方法は市場においては発見されておらず、財産的価値と共に使用価値をも有するような指輪の再生方法の開発が熱望されている。
【０００６】
更に、特許文献１に示された指輪では、あらかじめリングユニットを設けてある指輪でしかリング部分の調節をすることができず、既存の指輪のサイズを調節するものではなく
、指輪を再生することはではない。また、サイズを大きく調節する場合には、リング部分と同じ金属片が必要であり、サイズを小さくする場合には、リングユニットを取外すことになりその巾分でしか調節できない、更にサイズ調節後は端部同士をロー付けにより接続する為に、個人では難しくコストと時間がかかるものであった。
また、指輪は通常関節の大きさぎりぎりの内径にすることにより指への着脱を可能としているので、リングユニットで関節の太さぎりぎりの内径に調節をしても、リングユニット自体に伸縮性がないことにより、指輪装着部分では緩みを生じてしまい装着感が悪いものになっている。
【０００７】
そこで本発明は上記点に鑑み、従来の指輪のサイズ直しではできなかった、主要構成体を維持しつつ、指に合わなくなった指輪を指に適合するよう再生し、財産的価値を有すると共に使用価値をも有する指輪の再生方法とその指輪の再生構造を提供することを目的とする、更に、当該方法で再生された指輪の構造により着脱が容易で指へのフィット感がよい指輪を提供することをも目的とする。
【課題を解決するための手段】
【０００８】
上記目的を達成するため、請求項１に係る発明は再生前における指輪本体の主要構成体を特定する特定工程と、この指輪本体から主要構成体を分離させて主要構成体を取り出す取出し工程と、この主要構成体に拡縮径可能な環状構成体を組付けて環状の指輪本体を構成する組立て工程を有し、前記再生前の主要構成体を維持した状態で再生後の指輪本体を指に装着できるように使用可能に再生した指輪を再生する指輪再生方法である。
【０００９】
請求項２に係る発明は、主要構成体を特定した後、当該特定部位を切断し、この切断部位に接続部材を介して環状構成体を固着した指輪再生方法である。
【００１０】
請求項３に係る発明は、環状構成体は、予め準備した各種の伸縮部材、湾曲部材、拡縮部材、ジョイント部材を適宜に選択して構成するようにした指輪再生方法である。
【００１１】
請求項４に係る発明は、伸縮部材は、調節部を有する調節片を内蔵し、この調節片を係止部材で係止してリング径を自在に調節可能とした指輪再生方法である。
【００１２】
請求項５に係る発明は、拡縮部材は、折りたたみ式又は弾性体により拡縮可能とした指輪再生方法である。
【発明の効果】
【００１３】
請求項１に記載の発明によると、指に合わなくなり使用できなくなった指輪や、個人的価値のある指輪等の再成前の指輪の主要構成体の範囲を特定し、その主要構成体に変更を加えることなく再生前の状態を維持したまま取出して、環状構成体を組付けることにより、指に合った指輪を再生させることができ、個人的価値を有するような指輪や、お気に入りのデザインの指輪を再生前の状態を維持したまま再生することができるので、財産的価値を維持すると共に使用的価値をも有する指輪を再生することができる。
【００１４】
請求項２に記載の発明によると、特定された主要構成体をその形状を保持し、且つ、主要構成体を構成する装飾品が脱落等するのを防止して他の環状構成体と接続することができるので、再生前の主要構成体の状態を維持し、また、主要構成体を構成する宝飾品の脱落等による紛失を防止することができる。
【００１５】
請求項３に記載の発明によると、各種部材が、指輪再生方法に共通に用いることができるので、各部材を量産することができコストを下げることができる。また、各種部材が予め準備されているので環状構成体を組付けるには構成部材を適宜選択するだけですみ、指輪の再生にかかる時間を短縮することができる。
【００１６】
請求項４に記載の発明によると、調節片を調節することにより指輪のリング径を調節することが可能となり、指の太さの変化により再生した指輪がきつく感じるようになった場合などに、いちいち一度組付けた環状構成体を再度組み直す必要がなく、調節片を調節するだけで指輪径を変えることが可能となる。
【００１７】
請求項５に記載の発明によると、指輪の径を自在に伸縮することが可能となり、指輪の装着部分での緩みをなくし、装着感のよい指輪を提供することができる。また、指輪を指から外す場合には、拡縮部材が拡縮するので指の節部分も楽に通すことができ、簡単に指輪を外すことができる。
【発明を実施するための最良の形態】
【００１８】
本発明の指輪を再生する指輪再生方法と、その指輪の再生構造の好ましい実施形態を図面に基づいて説明する。
【００１９】
先ず、指輪の再生方法について説明する。図１は再生前の指輪本体１を示す説明図である。図２は本発明に用いる環状構成体４を示した図である。指輪の再生方法は、指輪本体１の主要構成体２を特定する特定工程と、主要構成体２を指輪本体１から取り出す取出し工程と、取り出した主要構成体２に環状構成体４を組付けて指輪を構成する組立て工程とからなる。
【００２０】
主要構成体２を特定する特定工程は、指輪本体１からその指輪の主要構成部分を分離するためにその分離する範囲を特定する工程である。主要な構成体はその指輪ごとに異なっており、例えば宝石がついている部分のみの場合もあるし、また個人的な事情により指輪のリング部分の中途までくることもある。このように主要構成体を特定することは画一的に処理できるものではなく、指輪一つ一つに対して決定されていく。
そこで、再生前の指輪本体１の主要構成体２がどこまでの範囲であるのか、またどの範囲を主要構成体２とすれば、再生前の指輪の財産的価値をくずすことなく、指輪の形状を維持しつつ、指輪を再生することができるのか見定める必要がある。
【００２１】
この見定める工程が、主要構成体２を特定する特定工程であり、単に主要構成体が含まれている部分で、切断しやすい部分と特定するものではない。この特定工程により、その後の指輪の価値が損なわれる場合もあり、特に個人的な価値が高い指輪などは、その程度が大きくなることがある。
【００２２】
そこで、この特定工程では、依頼者等からの情報等を元に、そのほか宝飾的価値やデザイン性等をも考慮して、再生前の指輪本体１から主要構成体２を特定する。例えば、図１に示すように、指輪本体１の主要構成体部分を認定し、その主要構成体部分が含まれ、かつ、指輪本体１の現在の形状又は残したい形状が維持される範囲である主要構成体２を特定する。
【００２３】
次に、主要構成体２を指輪本体１から取り出す取出し工程は、特定工程で特定された再生前の指輪の特定された部分を、指輪本体１から分離する工程である。例えば図１に示すように分離部３の点線の部分で主要構成体２を分離する工程である。分離する方法は、例えば、旋盤等の工作機械によって切断することもできるが、これに限ったものではなく、主要構成体２の形状を維持できる方法であればどのような方法で分離してもよい。
これにより、財産的価値や個人的価値を有する指輪の主要構成体２が、その形状を維持したまま指輪本体１から分離されることになる。
【００２４】
次に組立て工程は、取り出した主要構成体２に指輪のリング部分である環状構成体４を組付けて、もって指輪を再生する工程である。この環状構成体４は図２に示すように、伸縮部材１７、湾曲部材３０、拡縮部材３５、ジョイント部材２５等の各種部材からなり、この環状構成体４に主要構成体２が接続部材５を介して接続される。
環状構成体４の組付け方法として、各部材ごとの接続は任意であり、どの順番に取付けてもよく、各部材の取付順に特に限定はない。例えば、取出し工程により取り出された再生前の指輪の主要構成体２に接続部材５を取り付け、次に、伸縮部材１６、湾曲部材３０、拡縮部材３５、ジョイント部材２５を相互に取り付け、最後に接続部材５に伸縮部材１７と拡縮部材３５を取り付けて指輪を再生する、という順番でもよい。
【００２５】
また、主要構成体２は接続部材５または９を介して環状構成体４と接続されることになるが、接続部材５または９は、主要構成体２または環状構成体４のどちらと先に接続してもよく、特に順番を限ったものではない。例えば環状構成体４に接続部材５を接続した後に、主要構成体２を接続部材５に接続してもよく、作業者の任意で決定される。
【００２６】
ここで、指輪再生方法の一連の流れを図面を基に説明する。
まず、再生前の指輪本体１から価値のある部分が維持される範囲である主要構成体２を特定する、次にこの特定された主要構成体２を指輪本体１から分離させる。例えば図１に示すように、分離部３の点線に沿って主要構成体２を指輪本体１から分離させる。次に分離された主要構成体２に環状構成体４を組み付けて、主要構成体２を維持したまま指輪を再生することができる。
【００２７】
次に環状構成体４の組み付け方法について説明する。図２に示す環状構成体４を構成する各部材の取付順は、特に限ったものではないが、例えば、主要構成体２に接続部材５を取り付け、一方で伸縮部材１６、湾曲部材３０、拡縮部材３５、ジョイント部材２５を取り付けて最後に両者を取付けることもできる。
上記の場合、まず、主要構成体２に合う接続部材５を選びロー付け又はビーム溶接等の溶着手段により固着する。一方で、図５に示す伸縮部材１６の端部に形成された接続孔２２に図６に示すジョイント部材２５の接続挿入部２６を挿入しおねじ６３により螺着する。次に図７に示す湾曲部材３０の端部３２と前記ジョイント部材の端部２６を同様におねじ６３により螺着し、他方の端部３１と新たなジョイント部材２５の端部２８を同様に螺着し、次に、前記新たなジョイント部材２５の端部２６と図８に示す拡縮部材部材３５の一方の端部をおねじ６３により螺着する。これにより環状構成体４が主要構成体２を残して接続され、最後に図３に示す接続部材５の接続挿入部７を、伸縮部材１６の端部２０と、拡縮部材３５の端部４０に挿入し、おねじ６３を螺着して主要構成体２と環状構成体４が接続部材５を介して接続されることになる。
【００２８】
接続部材９を接続する場合について説明する。図４に示すように、接続部材９を主要構成体２の端部１３と溶接等の溶着手段により接続することにより、主要構成体２と接続でき、その後の工程は接続部材５と同様であるので省略する。
【００２９】
次に、本発明における指輪の再生構造について図面に基づいて説明する。
【００３０】
図２に示すように、本発明における指輪の再生構造にかかる環状構成体４は、接続部材５、伸縮部材１６、湾曲部材３０、拡縮部材３５、ジョイント部材２５等からなり、各部材は、おねじ６３により螺着されている。これら各部材は、相互に接続されて指輪を再生するものでありそれぞれ略円弧状の形態をなしている。
【００３１】
接続部材５は、図３に示すように両端部に接続挿入部７を有し、円弧部８に保持体６を嵌着している。この接続部材５は、主要構成体２の裏側が空洞の所謂裏抜きや幅広の場合に主要構成体２の裏側に保持体６を配して主要構成体２と接続する。保持部材６は、図３においては中央にある保持体が他の２本の保持体より長尺であるがこれに限ったものではなく、主要構成体２の形状に合わせて、適宜の長さ、巾、本数とすることができる。また
図３において、保持体６は断面略三角形状であるが、特にこれに限ったものでもなく他の形状でもよい。
【００３２】
次に、図４に他の接続部材９を示す。接続部材９は、主要構成体２の装飾品の種類や、端部の形状、依頼者に好みによって適宜選択される部材であり、略Ｌ字形の溶着部分と他の部材と接続するための接続挿入部１２を有している。
この接続部材９を端部１３に取り付けるには、端部１３の溶着面１４の下部を切削し切削面１５とし、接続部材９の溶着面１０と端部溶着面１４、切削面１５と支持面１１をロー付けまたは、レーザー溶接等により溶着することにより取り付ける。
【００３３】
伸縮部材１６は、図５に示すように本体１７に調節片１８を内蔵し、調節片１８には調節部１９、１９…が設けてある。本体１７と調節片１８の端部には、それぞれ他の環状構成体と接続するための接続孔２１、２２が設けてあり、図示しないが接続孔の一部にはめねじを形成して、おねじ６３と螺着可能にしている。この調節部１９に、図示しないが係止部材を挿入し適宜の位置で係止することができ、環状構成体２の径を調節することが可能となる。
【００３４】
図６に示すジョイント部材は、他の部材同士を接続するための部材であり、水平方向両端部に接続挿入部２６、２８に、おねじ６３を挿入する為の挿通孔２７、２９を設けている。この接続挿入部２６、２８を他の部材に挿入し、おねじ６３で螺着することにより各部材同士を接続することができる。
【００３５】
次に、図７に示す湾曲部材３０は、両端部３１、３２に他の部材との接続をするための接続孔３３、３４を有して接続孔の下部にはめねじを設けている。これにより、おねじ６３が螺着して他の部材と接続することができる。
【００３６】
次に、図８〜図１１において拡縮部材について説明する。図８〜図１１にはそれぞれ拡縮部材を示しており、図８に示す拡縮部材３５は、折りたたみ式の拡縮部材であり本体３８の中に回転部材３７を介し収納部材３６を折りたたみ収納することにより拡縮可能としている。本体３８には磁石３９が設置されており、磁石３９により収納部材３６をが容易には外れないようにしている。この収納部材３６と本体３８の端部には接続孔４０が設けてあり、その一部にめねじを形成して他の部材とおねじ６３によって接続できるようにしている。
【００３７】
図９に示す他の拡縮部材４１は、内部に弾力体を備えており、本実施例では例えばバネ４４が本体４２の中に内蔵されており、調節部材４３がバネ４４を押圧して拡縮可能としている。
図１０に更に他の拡縮部材４６を示す、図１０に示す拡縮部材４６は本体４７に被覆体４８が覆いかぶさって係止する形状の拡縮部材であり、係止部材４９が本体４７内に挿入され被覆体４８が接続部５１のテーパ面に沿って後方にずり下がることにより係止される。摺動棒５０は本体４７内の摺動部５８内に留まり、摺動部５８内を摺動するので、本体４７と被覆体４８が完全に分離することはない。以上により拡縮部材４６が拡縮可能となる。
【００３８】
図１１に更に他の拡縮部材５２を示す、この拡縮部材５２は拡縮部材５２と同様に本体５４に被覆体５３が覆いかぶさる形状の拡縮部材であるので同様の動作については説明を省略し、係止部分について説明する。図１１において係止凸部５６は被覆体５３を係止するものであり、Ｓ字板５５に形成されている。係止凸部５６が係止溝５６Ａに沿って摺動し、係止凹部５６Ｂに係止されることにより被覆体５３が係止される。以上により拡縮部材４６が拡縮可能となる。
上記各種の拡縮部材の端部には、他の環状構成体４の部材との接続することが可能な接続孔を有している。
【００３９】
図１２は、環状構成体４を構成する各部材同士の接続部分を拡大して示したものである。各部材は互いにおねじ６３により他の部材と接続することが可能であり、接続挿入部６１を接続孔５９とめねじ部６０を有する端部６２に挿入し、おねじ６３を接続孔５９から挿入し螺着することにより各部材同士を接続することが可能となる。
【００４０】
以上のように、本発明によると再生前の指輪の主要構成体を維持した状態で再び指輪を使用することが可能となり、もって財産的価値を有すると共に使用的価値をも有する指輪を再生できる。
【図面の簡単な説明】
【００４１】
【図１】再生前の指輪を示す説明図である。
【図２】本発明の方法で再生される指輪の指輪再生構造にかかる環状構成体が連結した状態を示す正面図である。
【図３】上記環状構成体の一部である保持部材を示す図である。
【図４】上記環状構成体の一部である接続部材を示す一部省略斜視図である。
【図５】上記環状構成体の一部である伸縮部材を示す一部切欠図である。
【図６】上記環状構成体の一部であるジョイント部材を示す正面図と平面図である。
【図７】上記環状構成体の一部である湾曲部材を示す正面図と平面図である。
【図８】上記環状構成体の一部である拡縮部材を示す図である。
【図９】図８に示す拡縮部材の他の拡縮部材を示す説明図である。
【図１０】図８及び図９に示す拡縮部材の更に他の拡縮部材を示す一部切欠分離斜視図である。
【図１１】図８乃至図１０に示す拡縮部材の更に他の拡縮部材を示す分離斜視図である。
【図１２】環状構成体同士を接続する接続部分を示す一部省略拡大図である。
【符号の説明】
【００４２】
１  指輪本体
２  主要構成体
４  環状構成体
５、９  接続部材
１６  伸縮部材
１８  調節片
１９  調節部
２５  ジョイント部材
３０  湾曲部材
３５  拡縮部材
４４  弾性体
【図１】
0005122262.tif 000002
【図２】
0005122262.tif 000003
【図３】
0005122262.tif 000004
【図４】
0005122262.tif 000005
【図５】
0005122262.tif 000006
【図６】
0005122262.tif 000007
【図７】
0005122262.tif 000008
【図８】
0005122262.tif 000009
【図９】
0005122262.tif 000010
【図１０】
0005122262.tif 000011
【図１１】
0005122262.tif 000012
【図１２】
0005122262.tif 000013